(57)【要約】【課題】  レバーアーチ型ファイル機構を提供すること。【解決手段】  このレバーアーチ型ファイル機構１００は、基部１０２と、各々が基部に固定されたポストならびに基部およびポストに対して移動可能となっているアーチ部を有しているとともに基部から上方に向かって延びている２つのリングと、リング閉鎖配置とリング開放配置との間でリングを選択的に移動させるべくアーチ部をポストに対して回転させるために、２つの安定な位置間を基部に対して移動可能となっているレバー組立体１１８と備えており、レバー組立体が、外側アーム１２０と内側アーム１２２とを備えており、レバー組立体が、２つの安定な位置間の第一番目の位置に置かれると、外側アームが、上側位置と下側位置との間を内側アームに対して移動可能となっている。【選択図】  図３
2008260264.tif 000002
【特許請求の範囲】
【請求項１】
基部と、
各々が前記基部に固定されたポスト部材ならびに前記基部および前記ポスト部材に対して移動可能となっているアーチ部材を有しているとともに、前記基部から上方に向かって延びている少なくとも２つのリングと、
リング閉鎖配置とリング開放配置との間で前記リングを選択的に移動させるべく前記アーチ部材を前記ポスト部材に対して回転させるために、２つの安定な位置間を前記基部に対して移動可能となっているレバー組立体とを備えており、
前記レバー組立体が少なくとも第一のアーム部材および第二のアーム部材を有しており、前記レバー組立体が前記安定位置のうちの第一番目の位置にあるとき、前記第一のアーム部材が、上側位置と下側位置との間を前記第二のアーム部材に対して移動可能となっているレバーアーチ型ファイル機構。
【請求項２】
前記第一のアーム部材が、前記リングの配置を変更することなく、前記上側位置と前記下側位置との間を前記第二のアーム部材に対して回転可能となるように構成されている請求項１に記載のレバーアーチ型ファイル機構。
【請求項３】
前記第一のアーム部材が、前記上側位置から前記下側位置へ移動する場合、前記第一のアーム部材の近傍にあるリングから離れていくように構成されている請求項１または２に記載のレバーアーチ型ファイル機構。
【請求項４】
前記第一のアーム部材の前記下部位置が安定位置である請求項１乃至３のうちのいずれか一の項に記載のレバーアーチ型ファイル機構。
【請求項５】
前記第一のアーム部材が前記下側位置の方向に向けて付勢されるように構成されている請求項１乃至４のうちのいずれか一の項に記載のレバーアーチ型ファイル機構。
【請求項６】
前記第一のアーム部材が、自重により、前記下側位置の方向に向けて付勢されるように構成されている請求項５に記載のレバーアーチ型ファイル機構。
【請求項７】
前記第一のアーム部材が、バネ手段により、前記下側位置の方向に向けて付勢されるように構成されている請求項５に記載のレバーアーチ型ファイル機構。
【請求項８】
前記第一のアーム部材と前記第二のアーム部材との間の相対的な移動の範囲を制限するための手段を備えている請求項１乃至７のうちのいずれか一の項に記載のレバーアーチ型ファイル機構。
【請求項９】
前記第一のアーム部材が、前記第二のアーム部材に対して回転可能となるように構成されている請求項１乃至８のうちのいずれか一の項に記載のレバーアーチ型ファイル機構。
【請求項１０】
前記第一のアーム部材が、前記第二のアーム部材に対して摺動可能となるように構成されている請求項１乃至８のうちのいずれか一の項に記載のレバーアーチ型ファイル機構。
【請求項１１】
前記第一のアーム部材が、曲線に沿って、前記第二のアーム部材に対して摺動可能となるように構成されている請求項１０に記載のレバーアーチ型ファイル機構。
【請求項１２】
前記レバー組立体が前記安定位置のうちの第二番目の位置にあり、前記第一のアーム部材が前記第二のアーム部材に対して移動可能となるように構成されている請求項１乃至１１のうちのいずれか一の項に記載のレバーアーチ型ファイル機構。
【請求項１３】
前記第一のアーム部材が前記第二のアーム部材に対して摺動可能となるように構成されている請求項１２に記載のレバーアーチ型ファイル機構。
【請求項１４】
前記第一のアーム部材が、曲線に沿って、前記第二のアーム部材に対して摺動可能となるように構成されている請求項１３に記載のレバーアーチ型ファイル機構は。
【請求項１５】
二つの第一のアーム部材を備えている請求項１乃至１４のうちのいずれか一の項に記載のレバーアーチ型ファイル機構。
【請求項１６】
前記二つの第一のアーム部材が共通の第二のアーム部材と回転可能に係合するように構成されている請求項１５に記載のレバーアーチ型ファイル機構。
【請求項１７】
前記二つの第一のアーム部材のうちの第一番目のアーム部材が、前記リングを開くために前記アーチ部材を前記ポスト部材に対して回転すべく下方に向かって回転可能となるように構成され、前記二つの第一のアーム部材のうちの第二番目のアーム部材が、前記リングを閉じるために前記アーチ部材を前記ポスト部材に対して回転すべく上方に向かって回転可能となるように構成されている請求項１５または１６に記載のレバーアーチ型ファイル機構。
【請求項１８】
基板に固定されている請求項１乃至１７のうちのいずれか一の項に記載のレバーアーチ型ファイル機構を備えているレバーアーチ型ファイル。
【発明の詳細な説明】
【技術分野】
【０００１】
本発明は、ファイル内に穴の開いた一束の紙を保持するためのデバイスに関するものであり、さらに詳細にはレバーアーチ型ファイル機構を備えているデバイスに関するものである。
【背景技術】
【０００２】
従来のレバーアーチ型ファイル機構には、一対のアーチ部材を一対の固定ポストに対して回転させて穴の開いた紙をファイル機構から検索するかまたはファイル機構に挿入し、ポストおよびアーチ部材を閉じて一対の閉鎖リングを形成することによりその中に紙を保管することを可能とするための片腕レバーが提供されている。一対のアーチ部材は中間成形部と一体式に形成されている。レバーに取り付けられているローラーは、レバーの回転移動中、中間成形部上を移動することにより、リング対を開放または閉鎖することが可能となっている。
【発明の開示】
【発明が解決しようとする課題】
【０００３】
このような従来のファイル機構において、リング対が開いているとき、レバーの上側の自由端部が、アーチ部材のうちの１つに非常に接近し、場合によってはそれに接触してしまうようなことがある。したがって、リング対が開いているときには、紙を、一対の固定ポストのみから取り出すまたはそこに挿入することができるものの、一対の回転可能なアーチ部材から取り出すまたはそこに挿入することはできない。
【０００４】
以上のことから、本発明の目的は、上記の欠点を軽減したレバーアーチ型ファイル機構およびこのような機構を有しているレバーアーチ型ファイルを提供することまたは少なくとも公衆に対して有用な代替品を適用することにある。
【課題を解決するための手段】
【０００５】
本発明の第一の態様によれば、基部と、各々が基部に固定されたポスト部材ならびに基部およびポスト部材に対して移動可能となっているアーチ部材とを有しているとともに基部から上方に向かって延びている少なくとも２つのリングと、リング閉鎖配置とリング開放配置との間でリングを選択的に移動させるべくアーチ部材をポスト部材に対して回転させるために、２つの安定位置間を基部に対して移動可能となっているレバー組立体とを備えているレバーアーチ型ファイル機構において、レバー組立体が、少なくとも第一のアーム部材および第二のアーム部材を備えており、レバー組立体が安定位置のうちの第一番目の位置にある場合、第一のアーム部材が、上側位置と下側位置との間で第二のアーム部材に対して移動可能となっていることを特徴とするレバーアーチ型ファイル機構が提供されている。
【０００６】
本発明の第二の態様によれば、基部と、各々が基部に固定されたポスト部材ならびに基部およびポスト部材に対して移動可能となっているアーチ部材とを有しているとともに基部から上方に向かって延びている少なくとも２つのリングと、リング閉鎖配置とリング開放配置との間でリングを選択的に移動させるべくアーチ部材をポスト部材に対して回転させるために、２つの安定位置間において基部に対して移動可能となっているレバー組立体とを備えている、基板に固定されたレバーアーチ型ファイル機構を有するレバーアーチ型ファイルにおいて、前記レバー組立体が、少なくとも第一のアーム部材および第二のアーム部材を備えており、レバー組立体が安定位置のうちの第一番目の位置にある場合、第一のアーム部材が、上側位置と下側位置との間で第二のアーム部材に対して移動可能となっていることを特徴とする、基板に固定されたレバーアーチ型ファイル機構を有するレバーアーチ型ファイルが提供されている。
【０００７】
ここで、添付の図面を参照して、本発明にかかるレバーアーチ型ファイル機構の実施形態を例示のみを目的として記載する。
【発明を実施するための最良の形態】
【０００８】
図１〜図５には、本発明の第一の実施形態にかかるレバーアーチ型ファイル機構が示されているとともに、その全体が符号１００により表されている。機構１００は、おおむね平坦な基部１０２を備えており、この基部１０２は、そこから延びるとともにそれに対しておおむね垂直となっている直立壁１０４を有している。この壁１０４は、基部１０２と一体式に形成されている。すなわち、壁１０４は、同一の金属シートから打ち抜かれ、押し曲げられる。２つのポスト部材１０６が、基部１０２に固定されるため、基部１０２に対して移動しないようになっている。
【０００９】
弾力性を有しているバネ板１０８は、基部１０２と係合される第一の側部１１０と、２つのアーチ部１２４の間に位置する中間成形部１１４の下側に作用する反対側の第二の側部１２０とを有している。レバー組立体１１８は、壁１０４と係合するようになっており、以下に、その機能および目的を記載する。
【００１０】
図６においてより明白に示されているように、レバー組立体１１８は、リベット１２４を中心として内側アーム１２２と回転可能に係合するようになっている外側アーム１２０を有している。また、この外側アーム１２０は、バネ１２６によっても、内側アーム１２２と接続されるようになっている。このような構成により、外側アーム１２０は内側アーム１２２に対して揺動可能となっている。また、内側アーム１２２がリベット１２８を通じて壁１０４と係合するようになっており、これにより、内側アーム１２２が壁１０４に対して揺動することが可能となっている。
【００１１】
内側アーム１２２の下端は、成形部１１４上をそれに沿って移動するローラー１３０を支持している。具体的にいえば、レバー組立体１１８が図２Ａ〜図６に示されているような上側安定位置に置かれている場合、ポスト１０６およびアーチ部１１６の自由端部は、相互にかつ対をなして係合することにより、基部１０２から上方に向かって伸びる２つの閉鎖リングを形成するようになっている。図７Ａ〜図１０に示されているように、レバー組立体１１８は下側安定位置に向かって下方に回転されるようになっている。ここでは、ローラー１３０は、成形部１１４のトラフ部１３２に移動し、バネ板１０８（成形部１１４の下側に上方に向かう付勢力を加えている）を回転させ、成形部１１４、ひいてはアーチ部材１１６を基部１０２およびポスト１０６に対して、とくにポスト１０６から離れる方向に回転させ、リングを開くようになっている。このようなリング開放配置では、穴の開いた複数の紙（図視せず）を、ポスト１０６およびアーチ部１１６に挿入することまたは取り出すことが可能となっている。
【００１２】
図７Ａおよび図１０により明瞭に示されているように、内側アーム１２２が湾曲状のスロット１３４を備えており、この中に、壁１０４に対する内側アーム１２２の回転運動の範囲を制限するために相対的な摺動運動を行うべく、壁１０４の突出部１３６が挿入されるようになっている。
【００１３】
図１１および図１２には、レバー組立体１１８の構造がさらに明瞭に示されている。レバー組立体１１８を上方に向かって回転される場合、外側アーム１２０が、ユーザの指で押され、外側アーム１２０がその上側位置に到着するまで上方に向けて回転され、ここで、外側アーム１２０が内側アーム１２２の出っ張り１３８の下側に作用し、内側アーム１２２を上方に向けて回転させるようになっている。また、レバー組立体１１８が下方に向かって回転される場合、外側アーム１２０がユーザの指で押され、下方に向けて回転され、内側アーム１２２も下方に向けて回転させるようになっている。なお、バネ１２６は、当該バネ１２６が外側アーム１２０を図１２および図１３Ｂに示されている下側安定位置に向けて付勢するように配置されている。
【００１４】
前述の配置の重要性は、図２Ａにより最わかり易く示されている。ここでは、点線１２０ａは、外側アーム１２０および内側アーム１２２が一体に形成される場合における外側アーム１２０の上側縁部の位置の重要性を示している。したがって、このような配置により、レバー組立体１１８が、図７Ａに示されている下側安定位置から図２Ａに示されている上側安定位置に向けて上方に回転されるとき、レバー組立体１１８の全長、すなわち全てのてこの作用（すなわち、外側アーム１２０および内側アーム１１８を含む）を利用することが可能となり、これにより上方に向かう回転運動が容易となる。また、レバー組立体１１８が上側位置に置かれているとき、外側アーム１２０は、その上側位置から移動され、バネ１２６の付勢力によって図２Ａに示されているような下側位置に留まったままでいるようになっている。この位置では、外側アーム１２０が点線で示された上側位置にあるときと比較して、当該外側アーム１２０が、近傍にあるリングからさらに離れた位置に置かれているとき、ポスト１０６およびアーチ部１１６により形成されたリングによって保持されている穴の開いた複数の紙は、ポスト１０６とアーチ部１１６との間で自由に移動されてもよい。図から明らかなように、外側アーム１２０は、リング閉鎖配置からリング開放配置にまたはリング開放配置からリング閉鎖配置にリングを変更することなく、内側アーム１２２に対して移動可能となっている。具体的にいえば、ポスト１０６とアーチ部分１１６との間の相対的位置および壁１０４と内側アーム１２２との間の相対的位置は、外側アーム１２０が内側アーム１２２に対して移動している間変更されないようになっている。
【００１５】
ファイル機構１００は、レバーアーチ型ファイルを作成するために、たとえばリベットにより、基板、たとえばカードボード（図示せず）に固定されてもよい。
【００１６】
図１４〜図１７Ｄには、本発明の第二の実施形態にかかるレバーアーチ型ファイル機構が例示され、その全体が符号２００で表されている。ファイル機構２００は、上述のレバーアーチ型ファイル機構１００と構造が類似している。ファイル機構１００とファイル機構２００との間の主たる差は、ファイル機構２００のレバー組立体２１８では、外側アーム２２０と内側アーム２２２とを接続するためのバネがないということである。したがって、外側アーム２２０に対して作用する上向きに作用する力がなく、リング閉鎖配置においてレバー組立体２１８が上側位置に置かれているとき、外側アーム２２０は、自重により、図１５Ａ〜図１５Ｄに示されている上側位置から図ｌ６Ａ〜図１６Ｄに示されている下側位置に向かって下方に回転することになる。先の場合と同様に、外側アーム２００は、ａ）リングの配置、（ｂ）機構２００の内側アーム２２２と直立壁２０４との間の相対的位置および（ｃ）内側アーム２２２と基部２０２との間の相対的位置を変えることなく、内側アーム２２２に対して移動可能となっている。
【００１７】
図１８〜図２４Ｄには、本発明の第三の実施形態にかかるレバーアーチ型ファイル機構が例示され、その全体が符号３００で示されている。ファイル機構３００は、上述のファイル機構１００、２００と構造上おおむね類似しており、主たる差は、レバー組立体３１８にある。図２５に示されているように、レバー組立体３１８は外側アーム３２０と内側アーム３２２とを備えている。外側アーム３２０は、第一の長手方向の端部に設けられているおおむね平坦な親指プレート３４０と、第二の長手方向の端部の近傍であってかつ湾曲した本体３４４の側面上に設けられているスタッド３４２とを備えている。本体３４４は、曲線を描いて内側アーム３２２に対して摺動運動するよう、内側アーム３２２の本体３５０に沿って２つの爪部３４６、３４８により受け入れられ案内されるようになっている。
【００１８】
したがって、ファイル機構３００が図１９および図２０に示されているようなリング閉鎖位置に置かれている場合、外側アーム３２０は、図１９および図２０に示されているような上側位置からの図２１および図２２に示されているような下側位置へと、湾曲した軌跡に沿って、内側アーム３２２対して移動しうる。この位置では、外側アーム３２０は、近傍にあるリングのうちの一部を形成しているアーチ部３１６の下面３５２から離れた位置に置かれている。外側アーム３２０は、自重により、この下側位置に向けて付勢されている。
【００１９】
図２３Ａ〜図２４Ｂには、このファイル機構３００のさらなる特徴が示されている。これらの図では、ファイル機構３００がリング開放配置で示され、レバー組立体３１８が下側位置で示されている。外側アーム３２０は、図２３Ａおよび図２３Ｂに示されているような引き出された上側位置から図２４Ａおよび図２４Ｂに示されているような引き込まれた下側安定位置へと曲線に沿って摺動されるようになっている。外側アーム３２０は、自重により、この下側位置に向けて付勢されている。
【００２０】
図２６Ａおよび図２６Ｂから明らかなように、レバー組立体３１８が完全に引き出された配置に置かれている場合、外側アーム３２０の本体３４４によって支持されているスタッド３４２は、内側アーム３２２に対して外側アーム３２０がさらに外側に向かって移動することを防ぐために、内側アーム３２２の爪３４８と当接するようになっている。また、図２７Ａおよび図２７Ｂに示されているように、レバー組立体が完全に引き込まれた配置にある場合、外側アーム３２０の広がった部分３５４は、外側アーム３２０が内側アーム３２２に対してそれ以上内側に移動しないようにするために、爪３４６に当接するようになっている。上述の配置は、このようにして、内側アーム３２２に対して外側アーム３２０が外側および内側に移動する範囲を制限するようになっている。
【００２１】
図２８〜図３２Ｂには、本発明の第四の実施形態にかかるレバーアーチ型ファイル機構が例示され、その全体が符号４００で示されている。ファイル機構４００は、上述のファイル機構３００と構造が非常に類似しており、主たる差は、レバー組立体４１８にある。
【００２２】
ファイル機構３００のレバー組立体３１８と同様に、レバー組立体４１８も、相互に移動可能な外側アーム４２０および内側アーム４２２を備えている。具体的にいえば、ファイル機構４００が図２９Ａおよび図２９Ｂに示されているようなリング閉鎖位置に置かれている場合、近傍にあるリングの一部を形成しているアーチ部４１６の上方に外側アーム４２０のうちの一部がある図２９Ａおよび図２９Ｂに示されているような上側位置から、アーチ部４１６の下面４５２の下方に外側アーム４２０がある図３０Ａおよび図３０Ｂに示されている下側位置へ、外側アーム４２０が、内側アーム４２２に対して、湾曲した軌跡に沿って移動されうる。この外側アーム４２０は、自重により、この引き込まれた下側安定位置に向かって付勢されている。
【００２３】
ファイル機構４００がリング開放配置に置かれているとともにレバー組立体４１８が下側位置に置かれていることが示されている図３ｌＡ〜図３１Ｂにさらに示されているように、外側アーム４２０は、図３１Ａおよび図３１Ｂに示されているような引き出されている上側位置から図３２Ａおよび図３２Ｂに示されているような引き込まれている下側安定位置へ、湾曲した軌跡に沿って摺動されてもよい。外側アーム４２０は、自重により、この引き込まれている下側安定位置に向かって付勢されている。
【００２４】
図３３〜図３５Ｂには、レバー組立体４１８の構造がより明瞭に示されている。上述のように、レバー組立体４１８は、外側アーム４２０と内側アーム４２２とを備えている。外側アーム４２０の内側先端部には爪４４６が設けられており、内側アーム４２２の外側先端部には爪４４８が設けられている。内側アーム４２２および外側アーム４２０が正当に組み立てられ、図３４Ａおよび図３４Ｂに示されているように、レバー組立体４１８が完全に引き出された配置にある場合、爪４４６、４４８は、レバー組立体４１８がそれ以上に引き出されることを防ぐように相互に当接するようになっている。また、レバー組立体４１８が完全に引き込まれた配置にある場合、外側アーム４２０の肉厚部分４５４は、外側アーム４２０が内側アーム４２２に対してそれ以上に内側へ摺動されることを防ぐように、爪４４８と当接するようになっている。
【００２５】
図３６〜図４０Ｂには、本発明の第五の実施形態にかかるレバーアーチ型ファイル機構が例示され、その全体が符号５００で表されている。ファイル機構５００は、上述のファイル機構１００と構造が非常に類似しており、主たる差は、レバー組立体４１８にある。
【００２６】
先のファイル機構１００に関して記載したレバー組立体１１８の場合と同様に、レバー組立体５１８は、リベット５２４を中心として相互に回転可能におよび移動可能になっている外側アーム５２０と内側アーム５２２とを備えている。図４３に示されているように、図３７〜図３８Ｂ、図４１および図４２に示されているような安定配置を取るように外側アーム５２０および内側アーム５２２を付勢するため、バネ５２６が、外側アーム５２０と内側アーム５２２との間に設けられるとともにそれらによって囲まれるようになっている。図４４Ａ〜図４４Ｄは、外側アーム５２０の構造および形状が示されているさらなる図である。なお、内側アーム５２２は、外側アーム５２０の上面上のギャップ５６２内に受け入れられる出っ張り５６０を備えている。このように配置することにより、外側アーム５２０と内側アーム５２２との間の回転運動の範囲が制限される。
【００２７】
図４５〜図４９Ｂには、本発明の第六の実施形態にかかるレバーアーチ型ファイル機構が例示され、その全体が符号６００で示されている。このファイル機構６００は、上述のファイル機構１００と構造が類似しており、主たる差は、ファイル機構６００のレバー組立体６１８に、共通の内側アーム６２２と回転可能に係合されている２つの外側アーム６２０ａ、６２０ｂが設けられていることである。
【００２８】
図４６〜図４７Ｂに示されているように、ファイル機構６００がリング閉鎖配置に置かれているとき、外側アーム６２０ａがおおむね上方に向かって延びており、外側アーム６２０ｂはおおむね下方に向かって延びている。図４８〜図４９Ｂに示されているようなリング開放配置をとるためにリングを開くべく、外側アーム６２０ａが下方に向かって回転されてもよいし、または、外側アーム６２０ｂが上方に向かって回転されてもよい。同様に、ファイル機構６００が図４８〜図４９Ｂに示されているようなリング開放配置に置かれている場合、図４６〜図４７Ｂに示されているリング閉鎖配置をとるためにリングを閉じるべく、外側アーム６２０ａが上方に向かって回転されてもよいし、または、外側アーム６２０ｂが下方に向かって回転されてもよい。
【００２９】
図５０〜図５２Ｄにおいてより明瞭に示されているように、外側アーム６２０ａ、６２０ｂの各々は、対応するバネ６２６ａ、６２６ｂを通じて内側アーム６２２と回転可能に係合されており、各バネは、対応する外側アーム６２０ａ、６２０ｂを、たとえば図５２Ａに示されている外側アーム６２０ａと内側アーム６２２との間の相対的位置などにみられるような下側安定位置に向かって付勢するようになっている。
【００３０】
図５３〜図５７Ｂには、本発明の第七の実施形態にかかるレバーアーチ型ファイル機構が示されており、その全体が符号７００で表されている。ファイル機構７００の構造は、上述のファイル機構５００の構造に非常に類似している。図５８に示されているように、ファイル機構７００のレバー組立体７１８は、リベット７２４を中心として、相互に回転可能に係合するとともに移動可能となっている内側アーム７２２と外側アーム７２０とを備えている。図５４〜図５５Ｂ、図５９および図６０に示されているような安定配置をとるように外側アーム７２０および内側アーム７２２を付勢するために、バネ７２６が、外側アーム７２０と内側アーム７２２との間に設けられているとともに囲まれるようになっている。図６３Ａ〜図６３Ｄは、外側アーム７２０の構造および形状を示している図である。外側アーム７２０は、図５６〜図５７Ｂ、図６１、図６２に示されている完全に引き出されている配置をとるために、バネ７２６の付勢力に抗して、内側アーム７２２に対して移動されてもよい。図から明らかなように、内側アーム７２２が平坦になっており、外側アーム７２０が、内側アーム７２２の上側縁部７４２のうちの少なくとも一部を覆う連続して曲がっている上側縁部７４０を備えている。
【００３１】
いうまでもなく、上記記載は、本発明を実行しうる例を示しているだけであり、さまざまな変更および／または変形が発明の精神から逸脱することなく加えられてもよい。
【００３２】
また、いうまでもなく、本発明の特徴は明瞭さのために別個の実施形態において記載されているが、これらの特徴が、単一の実施形態において組み合わせて用いられてもよい。これとは異なり、簡潔さのために単一の実施形態に記載されている本発明のさまざまな特徴が、別々に提供されてもよいしまたは任意の適切なより小さな組み合わせで提供されてもよい。
【図面の簡単な説明】
【００３３】
【図１】本発明の第一の実施形態にかかるレバーアーチ型ファイル機構を示す分解図である。
【図２Ａ】リングが閉じた配置に置かれている図１のレバーアーチ型ファイル機構を示す正面図である。
【図２Ｂ】図２Ａのレバーアーチ型ファイル機構を示す側面図である。
【図３】図２Ａのレバーアーチ型ファイル機構を上方から見た正面斜視図である。
【図４】図３のレバーアーチ型ファイル機構を上方から見た背面斜視図である。
【図５】図３のレバーアーチ型ファイル機構を示す底面斜視図である。
【図６】図３のレバーアーチ型ファイル機構を上方から見た断面斜視図である。
【図７Ａ】リングが開いた配置に置かれている図１のレバーアーチ型ファイル機構を示す正面図である。
【図７Ｂ】図７Ａのレバーアーチ型ファイル機構を示す側面図である。
【図８】図７Ａのレバーアーチ型ファイル機構を上方から見た正面斜視図である。
【図９】図８のレバーアーチ型ファイル機構を上方から見た背面斜視図である。
【図１０】図８のレバーアーチ型ファイル機構を上方から見た断面斜視図である。
【図１１】図１のレバーアーチ型ファイル機構のレバー組立体を示す分解斜視図である。
【図１２】図１１のレバー組立体を示す組立斜視図である。
【図１３Ａ】完全に伸びた配置が示されている、図１２のレバー組立体の正面図である。
【図１３Ｂ】安定構造が示されている、図１２のレバーアーチ型ファイル機構の正面図である。
【図１４】本発明の第二の実施形態にかかるレバーアーチ型ファイル機構を示す分解図である。
【図１５Ａ】レバー組立体の外側アームが上側の伸びた位置に置かれているとともにリングが閉じた配置に置かれている図１４のレバーアーチ型ファイル機構を示す正面図である。
【図１５Ｂ】図１５Ａのレバーアーチ型ファイル機構を示す平面図である。
【図１５Ｃ】図１５Ａのレバーアーチ型ファイル機構を示す右側面図である。
【図１５Ｄ】図１５Ａのレバーアーチ型ファイル機構を示す左側面図である。
【図１６Ａ】レバー組立体の外側アームが下側の安定した位置に置かれている図１５Ａのレバーアーチ型ファイル機構を示す正面図である。
【図１６Ｂ】図１６Ａのレバーアーチ型ファイル機構を示す平面図である。
【図１６Ｃ】図１６Ａのレバーアーチ型ファイル機構を示す右側面図である。
【図１６Ｄ】図１６Ａのレバーアーチ型ファイル機構を示す左側面図である。
【図１７Ａ】リングが開いた配置に置かれている図１４のレバーアーチ型ファイル機構を示す正面図である。
【図１７Ｂ】図１７Ａのレバーアーチ型ファイル機構を示す平面図である。
【図１７Ｃ】図１７Ａのレバーアーチ型ファイル機構を示す右側面図である。
【図１７Ｄ】図１７Ａのレバーアーチ型ファイル機構を示す左側面図である。
【図１８】本発明の第三の実施形態にかかるレバーアーチ型ファイル機構を示す分解図である。
【図１９】レバー組立体の外側アームが上側の伸びた位置に置かれているとともにリングが閉じた配置に置かれている図１８のレバーアーチ型ファイル機構を示す正面図である。
【図２０】図１９のレバーアーチ型ファイル機構を示す側面図である。
【図２１】レバー組立体の外側アームが下側の引っ込んだ安定な位置に置かれている図１９のレバーアーチ型ファイル機構を示す正面図である。
【図２２】図２１のレバーアーチ型ファイル機構を示す側面図である。
【図２３Ａ】リングが開かれている配置に置かれた図１９のレバーアーチ型ファイル機構を示す正面図である。
【図２３Ｂ】図２３Ａのレバーアーチ型ファイル機構を示す側面図である。
【図２４Ａ】レバー組立体の外側アームが引っ込んだ安定な位置に置かれている図２３Ａのレバーアーチ型ファイル機構を示す正面図である。
【図２４Ｂ】図２４Ａのレバーアーチ型ファイル機構を示す側面図である。
【図２５】図１８のレバーアーチ型ファイル機構のレバー組立体を示す分解図である。
【図２６Ａ】外側アームが上側の伸びた位置に置かれてるとともに組み立てられた状態に置かれている図２５のレバー組立体を示す正面図である。
【図２６Ｂ】図２６Ａのレバー組立体を示す斜視図である。
【図２７Ａ】外側アームが引っ込んだ下側の安定な位置に置かれている図２６のレバー組立体を示す正面図である。
【図２７Ｂ】図２７Ａのレバー組立体を示す斜視図である。
【図２８】本発明の第四の実施形態にかかるレバーアーチ型ファイル機構を示す分解図である。
【図２９Ａ】レバー組立体の外側アームが上側の伸びた位置に置かれているとともにリングが閉じた配置に置かれている図２８のレバーアーチ型ファイル機構を示す正面図である。
【図２９Ｂ】図２９Ａのレバーアーチ型ファイル機構を示す側面図である。
【図３０Ａ】レバー組立体の外側アームが下側の引っ込んだ安定な位置に置かれている図２９Ａのレバーアーチ型ファイル機構を示す正面図である。
【図３０Ｂ】図３０Ａのレバーアーチ型ファイル機構を示す側面図である。
【図３１Ａ】レバー組立体の外側アームが上側の位置に置かれているとともにリングが開かれた配置に置かれている図２９Ａのレバーアーチ型ファイル機構を示す正面図である。
【図３１Ｂ】図３１Ａのレバーアーチ型ファイル機構を示す側面図である。
【図３２Ａ】レバー組立体の外側アームが下側の引っ込んだ安定な位置に置かれている図３１Ａのレバーアーチ型ファイル機構を示す正面図である。
【図３２Ｂ】図３２Ａのレバーアーチ型ファイル機構を示す側面図である。
【図３３】図２９Ａのレバーアーチ型ファイル機構のレバー組立体を示す分解図である。
【図３４Ａ】外側アームが伸びた位置に置かれている図３３のレバー組立体を示す正面図である。
【図３４Ｂ】図３４Ａのレバー組立体を示す斜視図である。
【図３５Ａ】外側アームが下側の引っ込んだ安定な位置に置かれている図３４Ａのレバー組立体を示す正面図である。
【図３５Ｂ】図３５Ａのレバー組立体を示す斜視図である。
【図３６】本発明の第五の実施形態にかかるレバーアーチ型ファイル機構を示す分解図である。
【図３７】リングが閉じた配置に置かれている図３６のレバーアーチ型ファイル機構を示す正面図である。
【図３８Ａ】図３７のレバーアーチ型ファイル機構を示す正面図である。
【図３８Ｂ】図３８Ａのレバーアーチ型ファイル機構を示す側面図である。
【図３９】リングが開いた配置に置かれている図３６のレバーアーチ型ファイル機構を示す斜視図である。
【図４０Ａ】図３９のレバーアーチ型ファイル機構を示す正面図である。
【図４０Ｂ】図４０Ａのレバーアーチ型ファイル機構を示す側面図である。
【図４１】図３７のレバーアーチ型ファイル機構のレバー組立体を示す斜視図である。
【図４２】図４１のレバー組立体を示す正面図である。
【図４３】図４１のレバー組立体を示す分解図である。
【図４４Ａ】図４１のレバー組立体の外側アームを示す底面図である。
【図４４Ｂ】図４４Ａの外側アームを示す正面図である。
【図４４Ｃ】図４４Ａの外側アームを示す端面図である。
【図４４Ｄ】図４４Ａの外側アームを示す斜視図である。
【図４５】本発明の第六の実施形態にかかるレバーアーチ型ファイル機構を示す分解図である。
【図４６】リングが閉じた配置に置かれている図４５のレバーアーチ型ファイル機構を示す斜視図である。
【図４７Ａ】図４６のレバーアーチ型ファイル機構を示す側面図である。
【図４７Ｂ】図４７Ａのレバーアーチ型ファイル機構を示す正面図である。
【図４８】リングが開いた配置に置かれている図４６のレバーアーチ型ファイル機構を示す斜視図である。
【図４９Ａ】図４８のレバーアーチ型ファイル機構を示す側面図である。
【図４９Ｂ】図４９Ａのレバーアーチ型ファイル機構を示す正面図である。
【図５０】図４５のレバーアーチ型ファイル機構のレバー組立体を示す分解図である。
【図５１】図５０のレバー組立体を示す斜視図である。
【図５２Ａ】図５１のレバー組立体を示す正面図である。
【図５２Ｂ】図５２Ａのレバー組立体を示す平面図である。
【図５２Ｃ】図５２Ａのレバー組立体を示す背面図である。
【図５２Ｄ】図５２Ａのレバー組立体を示す端面図である。
【図５３】本発明の第七の実施形態にかかるレバーアーチ型ファイル機構を示す分解図である。
【図５４】リンが閉じた配置に置かれている図５３のレバーアーチ型ファイル機構を示す斜視図である。
【図５５Ａ】図５４のレバーアーチ型ファイル機構を示す正面図である。
【図５５Ｂ】図５５Ａのレバーアーチ型ファイル機構を示す側面図である。
【図５６】リングが開いた配置に置かれている図５３のレバーアーチ型ファイル機構を示す斜視図である。
【図５７Ａ】図５６のレバーアーチ型ファイル機構を示す正面図である。
【図５７Ｂ】図５７Ａのレバーアーチ型ファイル機構を示す側面図である。
【図５８】図５４のレバーアーチ型ファイル機構のレバー組立体を示す分解図である。
【図５９】安定な配置に置かれている図５８のレバー組立体を示す正面組立図である。
【図６０】図５９のレバー組立体を示す斜視図である。
【図６１】完全に伸びた配置に置かれている図５８のレバー組立体を示す正面組立図である。
【図６２】図６１のレバー組立体を示す斜視図である。
【図６３Ａ】図５８のレバー組立体の外側アームを示す背面図である。
【図６３Ｂ】図６３Ａの外側アームを示す底面図である。
【図６３Ｃ】図６３Ａの外側アームを示す側面図である。
【図６３Ｄ】図６３Ａの外側アームを示す背面斜視図である。
【符号の説明】
【００３４】
１００・・・（レバーアーチ型）ファイル機構
１０６・・・ポスト部材
１１６・・・アーチ部
１１８・・・レバー組立体
１２０・・・外側アーム
１２２・・・うち側アーム
１３４・・・スロット
１３６・・・突出部
【図１】
2008260264.tif 000003
【図２Ａ】
2008260264.tif 000004
【図２Ｂ】
2008260264.tif 000005
【図３】
2008260264.tif 000006
【図４】
2008260264.tif 000007
【図５】
2008260264.tif 000008
【図６】
2008260264.tif 000009
【図７Ａ】
2008260264.tif 000010
【図７Ｂ】
2008260264.tif 000011
【図８】
2008260264.tif 000012
【図９】
2008260264.tif 000013
【図１０】
2008260264.tif 000014
【図１１】
2008260264.tif 000015
【図１２】
2008260264.tif 000016
【図１３Ａ】
2008260264.tif 000017
【図１３Ｂ】
2008260264.tif 000018
【図１４】
2008260264.tif 000019
【図１５Ａ】
2008260264.tif 000020
【図１５Ｂ】
2008260264.tif 000021
【図１５Ｃ】
2008260264.tif 000022
【図１５Ｄ】
2008260264.tif 000023
【図１６Ａ】
2008260264.tif 000024
【図１６Ｂ】
2008260264.tif 000025
【図１６Ｃ】
2008260264.tif 000026
【図１６Ｄ】
2008260264.tif 000027
【図１７Ａ】
2008260264.tif 000028
【図１７Ｂ】
2008260264.tif 000029
【図１７Ｃ】
2008260264.tif 000030
【図１７Ｄ】
2008260264.tif 000031
【図１８】
2008260264.tif 000032
【図１９】
2008260264.tif 000033
【図２０】
2008260264.tif 000034
【図２１】
2008260264.tif 000035
【図２２】
2008260264.tif 000036
【図２３Ａ】
2008260264.tif 000037
【図２３Ｂ】
2008260264.tif 000038
【図２４Ａ】
2008260264.tif 000039
【図２４Ｂ】
2008260264.tif 000040
【図２５】
2008260264.tif 000041
【図２６Ａ】
2008260264.tif 000042
【図２６Ｂ】
2008260264.tif 000043
【図２７Ａ】
2008260264.tif 000044
【図２７Ｂ】
2008260264.tif 000045
【図２８】
2008260264.tif 000046
【図２９Ａ】
2008260264.tif 000047
【図２９Ｂ】
2008260264.tif 000048
【図３０Ａ】
2008260264.tif 000049
【図３０Ｂ】
2008260264.tif 000050
【図３１Ａ】
2008260264.tif 000051
【図３１Ｂ】
2008260264.tif 000052
【図３２Ａ】
2008260264.tif 000053
【図３２Ｂ】
2008260264.tif 000054
【図３３】
2008260264.tif 000055
【図３４Ａ】
2008260264.tif 000056
【図３４Ｂ】
2008260264.tif 000057
【図３５Ａ】
2008260264.tif 000058
【図３５Ｂ】
2008260264.tif 000059
【図３６】
2008260264.tif 000060
【図３７】
2008260264.tif 000061
【図３８Ａ】
2008260264.tif 000062
【図３８Ｂ】
2008260264.tif 000063
【図３９】
2008260264.tif 000064
【図４０Ａ】
2008260264.tif 000065
【図４０Ｂ】
2008260264.tif 000066
【図４１】
2008260264.tif 000067
【図４２】
2008260264.tif 000068
【図４３】
2008260264.tif 000069
【図４４Ａ】
2008260264.tif 000070
【図４４Ｂ】
2008260264.tif 000071
【図４４Ｃ】
2008260264.tif 000072
【図４４Ｄ】
2008260264.tif 000073
【図４５】
2008260264.tif 000074
【図４６】
2008260264.tif 000075
【図４７Ａ】
2008260264.tif 000076
【図４７Ｂ】
2008260264.tif 000077
【図４８】
2008260264.tif 000078
【図４９Ａ】
2008260264.tif 000079
【図４９Ｂ】
2008260264.tif 000080
【図５０】
2008260264.tif 000081
【図５１】
2008260264.tif 000082
【図５２Ａ】
2008260264.tif 000083
【図５２Ｂ】
2008260264.tif 000084
【図５２Ｃ】
2008260264.tif 000085
【図５２Ｄ】
2008260264.tif 000086
【図５３】
2008260264.tif 000087
【図５４】
2008260264.tif 000088
【図５５Ａ】
2008260264.tif 000089
【図５５Ｂ】
2008260264.tif 000090
【図５６】
2008260264.tif 000091
【図５７Ａ】
2008260264.tif 000092
【図５７Ｂ】
2008260264.tif 000093
【図５８】
2008260264.tif 000094
【図５９】
2008260264.tif 000095
【図６０】
2008260264.tif 000096
【図６１】
2008260264.tif 000097
【図６２】
2008260264.tif 000098
【図６３Ａ】
2008260264.tif 000099
【図６３Ｂ】
2008260264.tif 000100
【図６３Ｃ】
2008260264.tif 000101
【図６３Ｄ】
2008260264.tif 000102